(57)【特許請求の範囲】
【請求項１】
医用画像の原画像、及び、当該原画像から画像処理により特定の組織を認識し、認識した組織を減弱させた減弱画像に、前記原画像と前記減弱画像とを対応付ける対情報が登録されており、該対情報に基づいて前記原画像と前記減弱画像とを交互に切り替えて表示する表示手段と、
ユーザーによる操作を受け付ける操作手段と、
前記表示手段に前記原画像又は前記減弱画像が表示された状態で当該表示中の画像に対して、階調変更、拡大、縮小、パンニング、部分拡大及びマルチ周波数処理のうち少なくとも一つを含む所定の画像処理を行うよう前記操作手段から操作が行われた場合に、当該表示中の画像に対して前記所定の画像処理を行うとともに、当該表示中の画像に対応する前記減弱画像又は前記原画像に対しても、同一のパラメーターで前記所定の画像処理を行う制御手段と、
を備える画像表示装置。
【請求項２】
前記制御手段は、所定の時間間隔で、前記表示手段に表示される前記原画像と前記減弱画像とを切り替える請求項１に記載の画像表示装置。
【請求項３】
前記制御手段は、ユーザーによる前記操作手段からの切り替えを指示するための操作に基づいて、前記表示手段に表示される前記原画像と前記減弱画像とを切り替える請求項１に記載の画像表示装置。
【請求項４】
前記制御手段は、前記表示中の画像に対して前記所定の画像処理を行うとともに、バックグラウンドにて前記表示中の画像に対応する前記減弱画像又は前記原画像に対しても前記所定の画像処理を行う請求項１から３のいずれか一項に記載の画像表示装置。
【請求項５】
医用画像の原画像、及び、当該原画像から画像処理により特定の組織を認識し、認識した組織を減弱させた減弱画像に、前記原画像と前記減弱画像とを対応付ける対情報が登録されており、該対情報に基づいて前記原画像と前記減弱画像とを交互に切り替えて表示する表示手段と、ユーザーによる操作を受け付ける操作手段と、制御手段と、を備える画像表示装置における画像表示方法であって、
前記制御手段により、前記表示手段に前記原画像又は前記減弱画像が表示された状態で当該表示中の画像に対して、階調変更、拡大、縮小、パンニング、部分拡大及びマルチ周波数処理のうち少なくとも一つを含む所定の画像処理を行うよう前記操作手段から操作が行われた場合に、当該表示中の画像に対して前記所定の画像処理を行うとともに、当該表示中の画像に対応する前記減弱画像又は前記原画像に対しても、同一のパラメーターで前記所定の画像処理を行う工程を含む画像表示方法。
【発明の詳細な説明】
【技術分野】
【０００１】
本発明は、画像表示装置及び画像表示方法に関する。
【背景技術】
【０００２】
近年、医療の分野では、ＣＲ（Computed Radiography）、ＤＲ（Digital Radiography）、ＣＴ（Computed Tomography）等、医用画像のデジタル化が進んでいる。医用画像内において骨組織と病変とが重なっていると、病変を見落とす可能性があるため、医用画像に対して骨組織を減弱させるBone Suppression処理（骨減弱処理）を施す技術が開発されている（特許文献１参照）。
【０００３】
また、骨組織に限らず、医用画像から特定の正常組織を減弱させる処理も行われている。特定の正常組織として、骨組織以外に、例えば、心臓、大動脈、肺動脈、血管、気管支、横隔膜等が減弱される。医用画像の原画像と、特定の正常組織を減弱させた減弱画像と、を比較することにより、原画像では正常組織に隠れて見落とすおそれがあった病変を発見しやすくなる。
【０００４】
また、特定の正常組織を含む原画像と、特定の正常組織が減弱（除去）された減弱画像と、を交互に切り替えて表示させることで、２次元撮影の画像でありながら、時間的な動きが加わり、コントラストが低くて見づらい異常陰影（病変）が浮かび上がるように見える効果が生じる。これは、人間の視覚効果（仮現運動）を利用したものであり、異常陰影を効果的に印象づけることができる。このように、原画像と減弱画像とを切り替えて表示させることで、原画像のみの読影や減弱画像のみの読影より、効果的で見落としが少ない読影を行うことができる。
【先行技術文献】
【特許文献】
【０００５】
【特許文献１】特表２０１２−５２３８８９号公報
【発明の概要】
【発明が解決しようとする課題】
【０００６】
しかしながら、上記従来技術において、原画像と減弱画像との切り替え表示を効果的に行うためには、２枚の画像間で特定の正常組織の有無以外の違いがないことが望ましい。例えば、原画像と減弱画像の一方の画像に対して階調変換の変更、白黒反転、回転等の画像処理を施した場合に、画像処理後の一方の画像と、他方の画像と、がユーザーが閲覧上同一と認識することが難しくなってしまうと、病変が浮き出て見える効果が得られないおそれがあった。
【０００７】
本発明は、上記の従来技術における問題に鑑みてなされたものであって、原画像と減弱画像とを交互に切り替えて表示する際の読影精度及び読影効率を向上させることを課題とする。
【課題を解決するための手段】
【０００８】
上記課題を解決するために、請求項１に記載の発明は、医用画像の原画像、及び、当該原画像から画像処理により特定の組織を認識し、認識した組織を減弱させた減弱画像に、前記原画像と前記減弱画像とを対応付ける対情報が登録されており、該対情報に基づいて前記原画像と前記減弱画像とを交互に切り替えて表示する表示手段と、ユーザーによる操作を受け付ける操作手段と、前記表示手段に前記原画像又は前記減弱画像が表示された状態で当該表示中の画像に対して、階調変更、拡大、縮小、パンニング、部分拡大及びマルチ周波数処理のうち少なくとも一つを含む所定の画像処理を行うよう前記操作手段から操作が行われた場合に、当該表示中の画像に対して前記所定の画像処理を行うとともに、当該表示中の画像に対応する前記減弱画像又は前記原画像に対しても、同一のパラメーターで前記所定の画像処理を行う制御手段と、を備える画像表示装置である。
【００１０】
請求項２に記載の発明は、請求項１に記載の画像表示装置において、前記制御手段は、所定の時間間隔で、前記表示手段に表示される前記原画像と前記減弱画像とを切り替える。
【００１１】
請求項３に記載の発明は、請求項１に記載の画像表示装置において、前記制御手段は、ユーザーによる前記操作手段からの切り替えを指示するための操作に基づいて、前記表示手段に表示される前記原画像と前記減弱画像とを切り替える。
請求項４に記載の発明は、請求項１から３のいずれか一項に記載の画像表示装置において、前記制御手段は、前記表示中の画像に対して前記所定の画像処理を行うとともに、バックグラウンドにて前記表示中の画像に対応する前記減弱画像又は前記原画像に対しても前記所定の画像処理を行う。
【００１２】
請求項５に記載の発明は、医用画像の原画像、及び、当該原画像から画像処理により特定の組織を認識し、認識した組織を減弱させた減弱画像に、前記原画像と前記減弱画像とを対応付ける対情報が登録されており、該対情報に基づいて前記原画像と前記減弱画像とを交互に切り替えて表示する表示手段と、ユーザーによる操作を受け付ける操作手段と、制御手段と、を備える画像表示装置における画像表示方法であって、前記制御手段により、前記表示手段に前記原画像又は前記減弱画像が表示された状態で当該表示中の画像に対して、階調変更、拡大、縮小、パンニング、部分拡大及びマルチ周波数処理のうち少なくとも一つを含む所定の画像処理を行うよう前記操作手段から操作が行われた場合に、当該表示中の画像に対して前記所定の画像処理を行うとともに、当該表示中の画像に対応する前記減弱画像又は前記原画像に対しても、同一のパラメーターで前記所定の画像処理を行う工程を含む。
【発明の効果】
【００１３】
本発明によれば、原画像と減弱画像とを交互に切り替えて表示する際の読影精度及び読影効率を向上させることができる。
【図面の簡単な説明】
【００１４】
【図１】医用画像システムのシステム構成図である。
【図２】画像表示装置の機能的構成を示すブロック図である。
【図３】ＤＩＣＯＭデータのデータ構造の例を示す。
【図４】データベースのデータ構成を示す。
【図５】画像受信処理を示すフローチャートである。
【図６】画像表示処理を示すフローチャートである。
【図７】画像表示処理を示すフローチャートである。
【図８】原画像と骨組織を減弱させた減弱画像との切り替え表示例である。
【図９】原画像及び骨組織を減弱させた減弱画像に対して、処理対象となる画像操作領域を指定した場合の切り替え表示例である。
【図１０】原画像及び骨組織を減弱させた減弱画像の画像操作領域に対して、拡大及び回転を施した場合の切り替え表示例である。
【発明を実施するための形態】
【００１５】
以下、本発明に係る画像表示装置の実施の形態について説明する。なお、本発明は、図示例に限定されるものではない。
【００１６】
図１に、医用画像システム１００のシステム構成を示す。図１に示すように、医用画像システム１００は、モダリティー１０と、画像処理装置２０と、画像表示装置３０と、がＬＡＮ（Local Area Network）等の通信ネットワークＮを介してデータ通信可能に接続されて構成されている。通信ネットワークＮは、ＤＩＣＯＭ（Digital Imaging and Communications in Medicine）規格が適用されている。
なお、通信形態は、ＤＩＣＯＭ規格に則るのが一般的であるが、画像通信が可能なＦＴＰ（File Transfer Protocol）、ソケット通信あるいはプライベートな通信規約に従うことも可能である。
【００１７】
モダリティー１０は、患者の診断対象部位を被写体として撮影を行い、撮影した画像をデジタル変換して医用画像を生成する。モダリティー１０は、例えば、ＣＲ、ＤＲ、ＣＴ、ＭＲ（Magnetic Resonance）、ＰＥＴ−ＣＴ、ＵＳ（超音波装置）等によって構成される。モダリティー１０は、ＤＩＣＯＭ規格に則って、患者情報、検査情報等の付帯情報を医用画像の画像ファイルのヘッダーに書き込むことにより、医用画像に付帯情報を付帯させる。モダリティー１０は、撮影によって得られた医用画像（原画像）の画像データを、画像処理装置２０と、画像表示装置３０と、に対してそれぞれ送信する。
【００１８】
画像処理装置２０は、モダリティー１０から取得した医用画像の原画像の画像データから特定の正常組織を減弱させた減弱画像の画像データを生成する。特定の正常組織を減弱させる方法としては、種々の方法を用いることができ、特に限定されない。本実施の形態では、特定の正常組織として、鎖骨、肋骨等の骨組織を認識し、認識した骨組織を減弱させる（除去する）Bone Suppression処理（ＢＳ処理）を例にして説明する。具体的には、画像処理装置２０は、医用画像の原画像の画像データから鎖骨、肋骨等の骨組織を認識し、骨組織の濃度信号を推定し、その濃度信号のみを減弱させることで、骨組織を減弱させた減弱画像（以下、ＢＳ画像という。）の画像データを生成する。なお、減弱対象となる特定の正常組織は、画像の中で最も視覚的な影響が強い（最も目立つ）臓器・組織であることが望ましく、骨組織の他、心臓、大動脈・肺動脈等の血管系、気管・気管支系、横隔膜、縦隔等であってもよい。
なお、減弱画像には、原画像から鎖骨・肋骨・心臓等、複数の特定の正常組織を減弱させた画像も含まれる。また、減弱画像には、デュアルエネルギーサブトラクション（ＤＥＳ）において骨部のみが取り出された骨画像のように、原画像から軟部組織を全て減弱させた画像も含まれる。
【００１９】
特定の正常組織を減弱させる方法（アルゴリズム）として、例えば、以下の方法が用いられる。
（１）解剖学的知識を利用して肋骨等の骨組織を認識し、認識した骨組織を減弱又は除去するアルゴリズム（例えば、米国特許出願公開第２０１４／００７９３０９号明細書参照）
原画像と減弱画像とは、一部の正常組織の有無だけが異なり、他の像構造物に変化はないため、視覚特性の効果を得やすい。
また、骨組織の代わりに、心嚢、大動脈、横隔膜、血管、気管、気管支等を認識して、認識した組織を除去することとしてもよい。
【００２０】
（２）ニューラルネットワークを利用したＢＳ処理（例えば、米国特許第８２０４２９２号明細書参照）
デュアルエネルギーサブトラクション（ＤＥＳ）により得られた原画像と軟部組織画像をニューラルネットワークに学習させ、学習結果を用いて骨組織を減弱させた画像を生成する。
デュアルエネルギーサブトラクションでは、Ｘ線発生装置においてエネルギーを変えて２回撮影を行うことで、カルシウムが主成分の骨組織と、空気の組織、水や肉の組織のＸ線吸収量の違いを画像処理により画像化することにより、骨画像と軟部組織画像を作成する。これにより異常陰影（骨よりＸ線吸収量が低く、水や肉よりＸ線吸収量が高い）の認識がしやすくなる。
【００２１】
画像表示装置３０は、モダリティー１０及び画像処理装置２０から取得した医用画像の画像データに基づいて医用画像を表示させ、当該医用画像の読影を行うための装置であって、一般的なＰＣ（Personal Computer）等から構成される。
【００２２】
図２は、画像表示装置３０の機能的構成を示すブロック図である。画像表示装置３０は、制御部３１、操作部３２、表示部３３、通信部３４、記憶部３５、データベース（以下、ＤＢという。）３６、表示メモリー３７等を備える。
【００２３】
制御部３１は、ＣＰＵ（Central Processing Unit）、ＲＯＭ（Read Only Memory）、ＲＡＭ（Random Access Memory）等により構成される。ＣＰＵは、ＲＯＭに記憶されている各種処理プログラムを読み出してＲＡＭに展開し、展開されたプログラムに従って、画像表示装置３０の各部の動作を集中制御する。
制御部３１は、画像データ管理部４１、画像表示制御部４２として機能する。画像データ管理部４１は、医用画像の画像データを管理する。画像表示制御部４２は、表示部３３における読影画面の表示処理を制御する。
【００２４】
操作部３２は、カーソルキー、数字入力キー及び各種機能キー等を備えたキーボードと、マウス等のポインティングデバイスを備えて構成される。操作部３２は、ユーザーによる操作を受け付け、キーボードに対するキー操作やマウス操作に基づく操作信号を制御部３１に出力する。
【００２５】
表示部３３は、ＬＣＤ（Liquid Crystal Display）により構成され、制御部３１から入力される表示データに基づいて各種画面を表示する。
【００２６】
通信部３４は、外部装置との間でデータの送受信を行うインターフェースである。
【００２７】
記憶部３５は、ハードディスク等により構成され、各種データを記憶する。具体的に、記憶部３５には、複数の医用画像の画像データが記憶されている。複数の医用画像には、原画像と、当該原画像から特定の正常組織としての骨組織を減弱させたＢＳ画像と、が含まれる。
【００２８】
医用画像の画像データは、ＤＩＣＯＭ規格に則ったものであり、画像データに関する付帯情報がヘッダーに書き込まれている。付帯情報には、患者情報、検査情報、シリーズ情報、アクイジッション情報、画像情報が含まれる。
本実施の形態では、医用画像の画像データをＤＩＣＯＭ規格に則ったものとして説明するが、データとしては、画像データの実データ（ＲＡＷデータ含む）とその付帯情報を関連付けて制御する場合等にも、本発明を適用可能である。
【００２９】
図３に、ＤＩＣＯＭデータのデータ構造の例を示す。例えば、ある患者に対して「単純Ｘ線撮影」、「造影Ｘ線撮影」等の検査が行われた結果、得られた画像データが記憶部３５に記憶される。ここでは、検査「単純Ｘ線撮影」、シリーズ「胸部単純」、アクイジッション「撮影１回目」の画像「正面１」に対して、「正面ＢＳ画像」が対応付けられている。
【００３０】
胸部単純Ｘ線撮影は、人体において最も一般的な撮影であるが、胸部単純Ｘ線画像から読み取られる情報量は多く、読影が難しい。胸部単純Ｘ線画像は、鎖骨・肋骨、背骨（椎骨を含む。）、血管、気管、気管支、心臓（心嚢）、大動脈、横隔膜等の正常組織が重なり合って構成されており、そこから異常陰影（病変）を検出する必要がある。
【００３１】
ＤＢ３６は、記憶部３５に記憶されている原画像及びＢＳ画像の画像データを管理するためのデータベースである。
【００３２】
図４に、ＤＢ３６のデータ構成を示す。ＤＢ３６では、１枚の医用画像（原画像又はＢＳ画像）につき１レコードが生成される。ＤＢ３６には、１レコード毎に、患者ＩＤ、患者名、生年月日、性別、検査、検査日付、モダリティー、方向等が対応付けられて格納されている。対情報については、対となる画像が存在する場合に、情報が追加される。
【００３３】
「患者ＩＤ」、「患者名」、「生年月日」、「性別」フィールドには、それぞれ、患者の識別情報、患者の氏名、患者の生年月日、患者の性別が格納される。「患者ＩＤ」、「患者名」、「生年月日」、「性別」フィールドにおいて、空欄の部分は、上の行と同じ内容である。
「検査」、「検査日付」フィールドには、それぞれ、検査の種類、検査が行われた日付が格納される。「検査」フィールドにおいて、空欄の部分は、上の行と同じ内容である。
「モダリティー」、「方向」フィールドには、それぞれ、画像が撮影されたモダリティーの種類、撮影方向が格納される。
【００３４】
「対情報」フィールドには、原画像とＢＳ画像との対応関係を示す情報が格納される。具体的には、原画像の場合には「ｏｒｇ」、ＢＳ画像の場合には「ＢＳ」が格納され、対となっている画像同士に同一の数字が付される。図４の例では、「１ｏｒｇ」と「１ＢＳ」とが対となる原画像とＢＳ画像であり、「２ｏｒｇ」と「２ＢＳ」とが対となる原画像とＢＳ画像である。すなわち、「対情報」が「１ＢＳ」である画像データは、「対情報」が「１ｏｒｇ」である原画像の画像データから骨組織を減弱させたＢＳ画像の画像データである。
【００３５】
表示メモリー３７には、表示部３３に表示される原画像の画像データ、ＢＳ画像の画像データ等が記憶される。
【００３６】
画像データ管理部４１は、通信部３４を介して、モダリティー１０から医用画像の原画像の画像データを取得する。医用画像は、単純Ｘ線画像、Ｘ線ＣＴ画像、ＭＲやＰＥＴ−ＣＴにより生成された画像、３次元画像等であってもよい。画像データ管理部４１は、取得した原画像の画像データを記憶部３５に記憶させるとともに、原画像の画像データの付帯情報から得られた情報をＤＢ３６に登録する。
【００３７】
画像データ管理部４１は、通信部３４を介して、画像処理装置２０からＢＳ画像の画像データを取得する。画像データ管理部４１は、取得したＢＳ画像の画像データを記憶部３５に記憶させるとともに、ＢＳ画像の画像データの付帯情報から得られた情報をＤＢ３６に登録する。
画像データ管理部４１は、原画像の画像データの付帯情報と、ＢＳ画像の画像データの付帯情報と、に基づいて、ＢＳ画像に対応する原画像を特定する。画像データ管理部４１は、対となる画像（原画像及びＢＳ画像）について、ＤＢ３６の「対情報」フィールドに対応関係を示す情報を登録する。
【００３８】
画像データ管理部４１は、画像を検索する際に、ＤＢ３６の「対情報」に基づいて、切り替え表示の対象となる原画像とＢＳ画像（対となる画像）の画像データを認識する。
【００３９】
画像表示制御部４２は、医用画像の原画像と、当該原画像から骨組織を減弱させたＢＳ画像と、を交互に切り替えて、表示部３３に表示させる。画像表示制御部４２は、所定の時間間隔で、表示部３３に表示される原画像とＢＳ画像とを切り替える。
所定の時間間隔として、例えば、０．１〜３秒の時間間隔を用いることができ、１秒前後が好ましい。また、最初は画像を切り替える時間間隔を長く設定し、１０秒程度経過した後に徐々に間隔を短くすることとしてもよい。また、原画像とＢＳ画像との切り替え表示を、操作部３２からの操作によって停止させることも可能とする。
【００４０】
原画像とＢＳ画像とを交互に切り替えて表示すると、人間の視覚効果（仮現運動）により、原画像とＢＳ画像との差分による画像の変化のみが印象づけられ、骨組織と重なっていた異常陰影（病変）が浮かび上がるように見える効果が生じる。
仮現運動とは、静止画像の切り替えによって、刺激が単に提示されたり、消失したりするだけで見掛け上生じる運動である。
【００４１】
また、病変等で肋骨等の骨組織が明瞭に写らず、病変の濃度コントラストが付きづらい場合に、正常組織の認識を誤ることがあるが、原画像とＢＳ画像とを切り替えて表示することにより、正常組織を把握しやすくなり、正常組織の認識ミスに対するリスクを回避することができる。また、正常な臓器・組織とは異なり、不定な位置に出てくるため減弱させることができない肋軟骨・ボーンアイランド等が残った場合に、ノジュール等の病変と間違えて読影してしまうことがあるが、切り替え表示を行うことで、非定常的な組織を認識しやすくなり、誤診を回避することができる。
【００４２】
原画像とＢＳ画像との切り替え表示を最も効果的に行うためには、原画像とＢＳ画像との間で画像処理を同期させ、どちらの画像にも同様の画像処理（拡大、白黒反転、階調変更等）を実施することが重要である。
【００４３】
画像表示制御部４２は、表示部３３に原画像又はＢＳ画像が表示された状態で当該表示中の画像に対して所定の画像処理を行うよう操作部３２から操作が行われた場合に、当該表示中の画像に対して所定の画像処理を行うとともに、当該表示中の画像に対応するＢＳ画像又は原画像に対しても所定の画像処理を行う。すなわち、画像表示制御部４２は、表示中の画像に対して所定の画像処理を行うための指示があった場合に、対の画像（原画像に対するＢＳ画像、ＢＳ画像に対する原画像）に対しても同様の処理をバックグラウンドで行っておき、直ぐに切り替え処理を可能にしておく。
【００４４】
所定の画像処理には、画像装飾型の画像処理（階調変更、白黒反転、回転、左右反転、拡大、縮小、パンニング、部分拡大処理等）、アノテーションの付加、オーバーレイの付加、マルチ周波数処理等が含まれる。これらの処理の制御パラメーターを同一にして、原画像とＢＳ画像の双方に全く同様の処理がかかるようにする。
【００４５】
階調変更は、画像の明るさを調整するための階調変換を変更する処理であり、ＲＯＩ（Region Of Interest）内の階調変換の変更、ヒストグラムによる処理等が含まれる。
白黒反転は、画像の濃度の白黒を反転させる処理である。
回転は、画像を回転させる処理であり、回転の中心となる点、回転角度により指示される。
左右反転は、画像を左右方向に反転させる処理である。
拡大・縮小は、画像を拡大又は縮小させる処理であり、拡大・縮小の中心となる点、拡大率・縮小率により指示される。
パンニングは、画像上の一部を表示領域として、画像内の表示領域を移動させる処理である。
部分拡大処理（拡大鏡処理）は、全体画像を表示させつつ、指定された画像上の一部の領域を拡大させる処理、すなわち、一部の領域を拡大鏡を通して見たように表示させる処理である。
【００４６】
アノテーションの付加は、画像上に線、マーク、文字等のアノテーションを付加する処理である。
オーバーレイの付加は、画像上に重ねて表示される線や図形、文字等を付加する処理である。オーバーレイの例として、距離測定、面積測定、心胸郭比測定等の画像計測に用いる補助線や計測結果等が挙げられる。
マルチ周波数処理は、ハイパスフィルター、ローパスフィルターを用いて、複数の周波数帯域毎に鮮鋭度や粒状度を調整する処理である。
【００４７】
以上、原画像とＢＳ画像の両方に対して行う画像処理の例を挙げたが、これらの例に限定されるものではない。また、各画像処理のうち少なくとも一つ以上の画像処理についてのみ、原画像とＢＳ画像のいずれか一方に対して指示された処理を他方にも行うこととしてもよい。ただし、原画像とＢＳ画像の切り替え表示の視覚効果を上げるためには、全ての画像処理について、原画像とＢＳ画像の両方に対して行うことが望ましい。
【００４８】
次に、画像表示装置３０における動作について説明する。
図５は、画像表示装置３０において実行される画像受信処理を示すフローチャートである。
【００４９】
まず、画像データ管理部４１は、通信部３４を介して、モダリティー１０から原画像の画像データを受信したか否かを判断する（ステップＳ１）。
モダリティー１０から原画像の画像データを受信した場合には（ステップＳ１；ＹＥＳ）、画像データ管理部４１は、受信した原画像の画像データを記憶部３５に保存するとともに（ステップＳ２）、原画像の情報をＤＢ３６に登録する（ステップＳ３）。具体的には、画像データ管理部４１は、原画像の画像データの付帯情報に基づいて、原画像に対する患者ＩＤ、患者名、生年月日、性別、検査、検査日付、モダリティー、方向等をＤＢ３６に追加する。
【００５０】
ステップＳ１において、モダリティー１０から原画像の画像データを受信しない場合（ステップＳ１；ＮＯ）、又は、ステップＳ３の後、画像データ管理部４１は、通信部３４を介して、画像処理装置２０からＢＳ画像の画像データを受信したか否かを判断する（ステップＳ４）。
画像処理装置２０からＢＳ画像の画像データを受信した場合には（ステップＳ４；ＹＥＳ）、画像データ管理部４１は、受信したＢＳ画像の画像データを記憶部３５に保存するとともに（ステップＳ５）、ＢＳ画像の情報をＤＢ３６に登録する（ステップＳ６）。具体的には、画像データ管理部４１は、ＢＳ画像の画像データの付帯情報に基づいて、ＢＳ画像に対する患者ＩＤ、患者名、生年月日、性別、検査、検査日付、モダリティー、方向等をＤＢ３６に追加する。
【００５１】
次に、画像データ管理部４１は、ＤＢ３６のＢＳ画像及びこのＢＳ画像に対応する原画像のレコードに対して、対情報を登録する（ステップＳ７）。具体的には、画像データ管理部４１は、ＤＢ３６において、ＢＳ画像のレコードの「対情報」フィールドに「数字＋ＢＳ」を格納し、原画像のレコードの「対情報」フィールドに「数字＋ｏｒｇ」を格納する。「ＢＳ」及び「ｏｒｇ」と組み合わせる数字として、対となっている画像同士に同一の数字が付される（図４参照）。この対情報により、原画像とＢＳ画像とが対応付けられる。
【００５２】
ステップＳ４において、画像処理装置２０からＢＳ画像の画像データを受信しない場合（ステップＳ４；ＮＯ）、又は、ステップＳ７の後、画像受信処理が終了する。
画像受信処理は、画像データ管理部４１によって繰り返し実行される。
【００５３】
図６及び図７は、画像表示装置３０において実行される画像表示処理を示すフローチャートである。
【００５４】
まず、画像表示制御部４２は、検索画面を表示部３３に表示させる。そして、画像表示制御部４２は、ユーザーによる操作部３２からの操作により、患者名、患者ＩＤ等の検索条件を受け付け、この検索条件を含む画像検索指示を画像データ管理部４１に出力する（ステップＳ１１）。
【００５５】
画像データ管理部４１は、画像検索指示に基づいて、ＤＢ３６において、検索条件に該当する検査を検索する（ステップＳ１２）。
次に、画像データ管理部４１は、ＤＢ３６を検索した結果を取得し、ＤＢ検索結果を画像表示制御部４２に出力する（ステップＳ１３）。
【００５６】
画像表示制御部４２は、ＤＢ検索結果に基づいて、表示部３３に検査リストを表示させる（ステップＳ１４）。
次に、画像表示制御部４２は、ユーザーによる操作部３２からの操作により、検査の選択を受け付け、選択された検査を示す情報を画像データ管理部４１に出力する（ステップＳ１５）。
【００５７】
画像データ管理部４１は、選択された検査を示す情報に基づいて、ＤＢ３６を参照し、選択された検査に該当する画像データを特定する（ステップＳ１６）。
次に、画像データ管理部４１は、特定された画像データの対情報をＤＢ３６から取得するとともに、記憶部３５に記憶されている特定された画像データを読み出し（ステップＳ１７）、画像データと対情報とを画像表示制御部４２に出力する。例えば、図３に示す検査「単純Ｘ線撮影」が選択された場合、枠Ｄで囲まれた「正面１」、「側面」、「正面２（再撮）」、「正面３（拡大）」の原画像の画像データ、及び、「正面１」と対になっている「正面ＢＳ画像」の画像データとともに、「正面１」と「正面ＢＳ画像」との対応関係を示す情報が画像データ管理部４１から画像表示制御部４２に出力される。
【００５８】
画像表示制御部４２は、画像データと対情報とを表示メモリー３７に保存する（ステップＳ１８）。
次に、画像表示制御部４２は、取得された画像データに基づいて、表示部３３に画像を表示させる（ステップＳ１９）。表示部３３には、設定により、検査に含まれる全ての画像が表示されてもよいし、検査に含まれる画像が１枚ずつ切り替え可能に表示されてもよい。また、原画像とＢＳ画像とが対で存在する場合に、原画像のみが表示されることとしてもよい。
【００５９】
次に、図７に移行し、ユーザーによる操作部３２からの操作により、原画像が選択されると（ステップＳ２０）、画像表示制御部４２は、表示メモリー３７内の選択された原画像の画像データに基づいて、原画像を表示部３３に表示させる（ステップＳ２１）。なお、原画像の表示に際し、画像表示制御部４２は、原画像の画像データに対して予め設定されている画像処理（ユーザーの操作によらず、自動的に施される画像処理）を行うとともに、バックグラウンドで（表示メモリー３７上で）、ＢＳ画像の画像データに対しても同様の画像処理を行う。
【００６０】
次に、画像表示制御部４２は、ユーザーによる操作部３２からの操作により、所定の画像処理を行う旨の指示があったか否かを判断する（ステップＳ２２）。
所定の画像処理を行う旨の指示があった場合には（ステップＳ２２；ＹＥＳ）、画像表示制御部４２は、ステップＳ２０において選択された原画像の画像データと、当該原画像に対応するＢＳ画像の画像データと、に対して所定の画像処理を行う（ステップＳ２３）。すなわち、画像表示制御部４２は、現在表示部３３に表示されている原画像の画像データに対して、指示された画像処理を行うだけでなく、表示メモリー３７上で、表示中の原画像に対応するＢＳ画像の画像データに対しても、指示された画像処理を行う。
【００６１】
ステップＳ２２において、所定の画像処理を行う旨の指示がない場合（ステップＳ２２；ＮＯ）、又は、ステップＳ２３の後、画像表示制御部４２は、ユーザーによる操作部３２からの操作により、読影を終了する旨の指示があったか否かを判断する（ステップＳ２４）。
読影を終了する旨の指示がない場合には（ステップＳ２４；ＮＯ）、画像表示制御部４２は、画像を切り替えるタイミングであるか否かを判断する（ステップＳ２５）。具体的には、画像表示制御部４２は、原画像の表示が開始されてから予め定められた時間が経過したか否かを判断し、予め定められた時間が経過している場合には、画像を切り替えるタイミングであると判断し、予め定められた時間が経過していない場合には、画像を切り替えるタイミングでないと判断する。
【００６２】
画像を切り替える時間間隔としては、操作部３２からの操作により、ユーザー（医師）が予め原画像とＢＳ画像とを切り替える速度（時間間隔）を設定しておく。例えば、マウスホイールを回す速度に応じて切り替え速度を設定することとしてもよい。
【００６３】
画像を切り替えるタイミングでない場合には（ステップＳ２５；ＮＯ）、ステップＳ２２に戻り、処理が繰り返される。
ステップＳ２５において、画像を切り替えるタイミングである場合には（ステップＳ２５；ＹＥＳ）、画像表示制御部４２は、表示メモリー３７内の表示中の原画像に対応するＢＳ画像の画像データに基づいて、ＢＳ画像を表示部３３に表示させる（ステップＳ２６）。ステップＳ２３において、原画像の画像データに対する画像処理の指示に伴い、ＢＳ画像の画像データに対しても指示された画像処理が行われている場合には、処理済みのＢＳ画像が表示される。
【００６４】
次に、画像表示制御部４２は、ユーザーによる操作部３２からの操作により、所定の画像処理を行う旨の指示があったか否かを判断する（ステップＳ２７）。
所定の画像処理を行う旨の指示があった場合には（ステップＳ２７；ＹＥＳ）、画像表示制御部４２は、ステップＳ２０において選択された原画像に対応するＢＳ画像の画像データと、ステップＳ２０において選択された原画像の画像データと、に対して所定の画像処理を行う（ステップＳ２８）。すなわち、画像表示制御部４２は、現在表示部３３に表示されているＢＳ画像の画像データに対して、指示された画像処理を行うだけでなく、表示メモリー３７上で、表示中のＢＳ画像に対応する原画像の画像データに対しても、指示された画像処理を行う。
【００６５】
ステップＳ２７において、所定の画像処理を行う旨の指示がない場合（ステップＳ２７；ＮＯ）、又は、ステップＳ２８の後、画像表示制御部４２は、ユーザーによる操作部３２からの操作により、読影を終了する旨の指示があったか否かを判断する（ステップＳ２９）。
読影を終了する旨の指示がない場合には（ステップＳ２９；ＮＯ）、画像表示制御部４２は、画像を切り替えるタイミングであるか否かを判断する（ステップＳ３０）。具体的には、画像表示制御部４２は、ＢＳ画像の表示が開始されてから予め定められた時間が経過したか否かを判断し、予め定められた時間が経過している場合には、画像を切り替えるタイミングであると判断し、予め定められた時間が経過していない場合には、画像を切り替えるタイミングでないと判断する。
【００６６】
画像を切り替えるタイミングでない場合には（ステップＳ３０；ＮＯ）、ステップＳ２７に戻り、処理が繰り返される。
ステップＳ３０において、画像を切り替えるタイミングである場合には（ステップＳ３０；ＹＥＳ）、画像表示制御部４２は、表示メモリー３７内の表示中のＢＳ画像に対応する原画像の画像データに基づいて、原画像を表示部３３に表示させる（ステップＳ２１）。ステップＳ２８において、ＢＳ画像の画像データに対する画像処理の指示に伴い、原画像の画像データに対しても指示された画像処理が行われている場合には、処理済みの原画像が表示される。
【００６７】
ステップＳ２４において、読影を終了する旨の指示があった場合（ステップＳ２４；ＹＥＳ）、又は、ステップＳ２９において、読影を終了する旨の指示があった場合には（ステップＳ２９；ＹＥＳ）、画像表示処理が終了する。
【００６８】
図８に、原画像５０とＢＳ画像６０との切り替え表示例を示す。ここでは、原画像５０として、胸部単純Ｘ線画像を用いている。原画像５０とＢＳ画像６０とは、所定の時間間隔で、表示部３３の同じ位置に交互に切り替えて表示される。原画像５０が表示される時間と、ＢＳ画像６０が表示される時間と、は同じであってもよいし、異なっていてもよい。
【００６９】
図９は、図８に示した原画像５０及びＢＳ画像６０に対して、処理対象となる画像操作領域５１，６１を指定した場合の切り替え表示例である。原画像５０又はＢＳ画像６０のいずれか一方に対して画像操作領域が指定されると、他方の画像に対しても、バックグラウンドで（表示メモリー３７上で）、画像内の同じ領域が指定された状態となる。画像が切り替えられた場合には、画像操作領域を示す枠が付加された状態で他方の画像が表示される。
【００７０】
図１０は、図９に示した原画像５０及びＢＳ画像６０の画像操作領域５１，６１に対して、拡大（指定された座標を中心に２倍拡大）及び９０度回転（反時計回り）を施した画像５２，６２の切り替え表示例である。原画像５０又はＢＳ画像６０のいずれか一方に対して画像操作領域の２倍拡大及び９０度回転が指示されると、他方の画像に対しても、バックグラウンドで（表示メモリー３７上で）、画像操作領域が２倍に拡大され、同じ向きに同じ角度だけ回転された画像が生成される。画像が切り替えられた場合には、同じ領域の拡大画像であって、同じ向きに同じ角度だけ回転された他方の画像が表示される。
【００７１】
以上説明したように、本実施の形態によれば、原画像とＢＳ画像とに対して、同一の画像処理を行うことにより、原画像とＢＳ画像とを交互に切り替えて表示する際の読影精度及び読影効率を向上させることができる。例えば、減弱対象の正常組織（骨組織）以外は、階調を変更する処理、濃度を反転する処理、画像を回転させる処理、特定の部分を拡大する処理等を同じ条件で２画像に施すことができるので、原画像とＢＳ画像の間で、骨組織の有無以外で異なる領域（異常陰影）を検出しやすくなり、淡い濃度の病変の陰影を認識することが容易になる。
【００７２】
画像の切り替えにより画像間の差分を際立たせる視覚的効果を得るためには、人が２枚の画像（原画像とＢＳ画像）をほとんど同一の画像であると認識することが重要である。したがって、処理によって画像が大きく変わってしまう白黒反転、回転、左右反転、拡大、縮小については、特に効果的である。階調変更についても、変更の度合いが大きい場合には、２枚の画像のうち一方のみに階調変更を行うと、２枚の画像を別の画像であると認識してしまうため、本発明のように共通の処理を施すことで、画像間の差分を視認しやすくなる。
【００７３】
また、所定の時間間隔で原画像とＢＳ画像とを切り替えて表示することで、仮現運動効果（視覚的に情報を回復する効果）により、コントラストが低い病変が見やすくなり、読影精度及び読影効率を向上させることができる。
【００７４】
なお、上記実施の形態における記述は、本発明に係る画像表示装置の例であり、これに限定されるものではない。装置を構成する各部の細部構成及び細部動作に関しても本発明の趣旨を逸脱することのない範囲で適宜変更可能である。
【００７５】
例えば、上記実施の形態では、原画像とＢＳ画像（減弱画像）とを所定の時間間隔で切り替える場合について説明したが、ユーザーによる操作部３２からの切り替えを指示するための操作に基づいて、表示部３３に表示される原画像と減弱画像とを切り替えることとしてもよい。例えば、マウスホイールを回す操作に応じて、手動で原画像と減弱画像とを切り替え可能とする。この場合、ユーザー毎に読影観察時にユーザーが希望する最適なタイミングで原画像と減弱画像とを切り替えることができる。
【００７６】
また、上記実施の形態では、画像表示装置３０において、モダリティー１０から原画像の画像データを受信し、画像処理装置２０からＢＳ画像（減弱画像）の画像データを受信する場合について説明したが、原画像の画像データと減弱画像の画像データは、同じ機器（例えば、画像処理装置２０）から受信してもよい。また、原画像の画像データと減弱画像の画像データを同じ機器から受信する場合に、原画像の画像データと減弱画像の画像データを同一のタイミングで受信してもよいし、別々のタイミングで受信してもよい。
【００７７】
また、画像サーバー等の画像保管装置に保存されている画像データを原画像として扱うこともできる。例えば、画像サーバーから画像処理装置２０及び画像表示装置３０に原画像の画像データを送信してもよいし、画像処理装置２０及び画像表示装置３０がインテリジェントに能動受信を行う能動受信部を具備し、画像サーバーに対して処理対象となる原画像の画像データの検索要求を行い、画像サーバーから原画像の画像データを取得することとしてもよい（ＤＩＣＯＭ  Ｑ／Ｒ機能等で実現）。
【００７８】
また、画像表示装置３０が、予め原画像の画像データ及び減弱画像の画像データが保存されている画像サーバーから原画像の画像データ及び減弱画像の画像データを取得することとしてもよい。
また、画像サーバーがモダリティー１０から受信した原画像の画像データと、画像処理装置２０から受信した減弱画像の画像データと、を保存・管理し、画像サーバーから画像表示装置３０に原画像の画像データと減弱画像の画像データを送信してもよい。
【００７９】
また、画像表示装置３０が必要な減弱画像の画像データを取得するために、画像サーバーに対し、画像処理装置２０への画像転送を指示し、画像処理装置２０から減弱画像の画像データを取得することとしてもよい。この際、画像処理装置２０は、画像サーバーから原画像の画像データが入力されると、減弱画像の画像データを画像表示装置３０に自動的に送信する。あるいは、画像表示装置３０が能動的に画像処理装置２０から減弱画像の画像データを取得することとしてもよい。
【００８０】
また、画像表示装置３０がモダリティー１０又は画像サーバーから原画像の画像データを受信した後、外部の画像処理装置に原画像の画像データを送信し、画像処理装置にて生成された減弱画像の画像データを取得することとしてもよい。また、画像表示装置３０が装置内部に原画像の画像データから減弱画像の画像データを生成する画像処理部を備えることとしてもよい。
【符号の説明】
【００８１】
１０  モダリティー
２０  画像処理装置
３０  画像表示装置
３１  制御部
３２  操作部
３３  表示部
３４  通信部
３５  記憶部
３６  ＤＢ
３７  表示メモリー
４１  画像データ管理部
４２  画像表示制御部
１００  医用画像システム
Ｎ  通信ネットワーク
【図１】
0006747771.tif 000002
【図２】
0006747771.tif 000003
【図３】
0006747771.tif 000004
【図４】
0006747771.tif 000005
【図５】
0006747771.tif 000006
【図６】
0006747771.tif 000007
【図７】
0006747771.tif 000008
【図８】
0006747771.tif 000009
【図９】
0006747771.tif 000010
【図１０】
0006747771.tif 000011